(57)【特許請求の範囲】
【請求項１】
筐体と、
前記筐体内に収容され、被写体を透過した放射線源からの放射線を検出し、放射線画像情報に変換する放射線変換器と、
前記放射線変換器を制御する制御部と、
前記放射線変換器及び前記制御部の少なくとも一方に電力を供給する電源部と、
前記筐体に設けられた複数の把持部と、
を有し、
前記複数の把持部のうち少なくとも一方が着脱可能とされ、
さらに、着脱可能な前記把持部が装着されているか否かを検出する装着検出部を備え、
前記制御部は、前記装着検出部が検出した検出結果に基づき、前記放射線変換器が変換した放射線画像情報の画像処理内容を変える電子カセッテ。
【請求項２】
着脱可能な前記把持部には、前記制御部及び前記電源部の少なくとも一方が一体化されている請求項１に記載の電子カセッテ。
【発明の詳細な説明】
【技術分野】
【０００１】
本発明は、可搬性を有する電子カセッテに関する。
【背景技術】
【０００２】
電子カセッテとしては、特許文献１に開示される電子カセッテが公知である。特許文献１の電子カセッテは、電子カセッテを立位架台に装着する際に取っ手が邪魔にならないように、取っ手が電子カセッテを移動できたり、取っ手が電子カセッテから取り外せたりする構成とされている。さらに、特許文献１の電子カセッテでは、取っ手が、立位状態の被験者の顎を受ける顎受けとして用いられるように構成されている。
【特許文献１】特開２００４−７７６４１号公報
【発明の開示】
【発明が解決しようとする課題】
【０００３】
ところで、放射線を検出する検出領域が長方形である場合は、立位状態の被験者を撮像する場合、電子カセッテを縦置きにするか横置きにするか、撮影の目的により使い分ける必要があるが、特許文献１のように、取っ手が電子カセッテの１方向に設けられる構成では、電子カセッテの装着される向きによっては立位架台への装着がやりづらくなる。
【０００４】
また、横たわる状態の被験者を撮像する場合には、被験者が横たわるベッドの長手方向に電子カセッテの長辺側を合わせて電子カセッテを装着する場合と、電子カセッテの短辺側を合わせて電子カセッテを装着する場合がありうるが、電子カセッテの装着される向きによってはベッドへの装着がやりづらくなる。
【０００５】
一方、別の観点として、特許文献１では、重いカセッテを安全に持ち運ぶ事については考慮されていない。
【０００６】
本発明は、上記事実を考慮し、取り扱いが容易となる電子カセッテを提供することを目的とする。
【課題を解決するための手段】
【０００７】
本発明の請求項１に係る電子カセッテは、筐体と、前記筐体内に収容され、被写体を透過した放射線源からの放射線を検出し、放射線画像情報に変換する放射線変換器と、前記放射線変換器を制御する制御部と、前記放射線変換器及び前記制御部の少なくとも一方に電力を供給する電源部と、前記筐体に設けられた複数の把持部と、を有する。
【０００８】
この構成によれば、筐体内に収容された放射線変換器、制御部及び電源部を有し、重量のある電子カセッテを持ち運ぶ際に、複数の把持部を把持して電子カセッテを持ち運ぶことができる。このため、電子カセッテの重量を分散させて電子カセッテを持ち運ぶことができるので、電子カセッテの持ち運びが楽になる。
【０００９】
また、電子カセッテを撮影台等に装着する際には、複数の把持部のいずれかを把持して電子カセッテを装着できる。
【００１０】
このように請求項１の構成によれば、電子カセッテの取り扱いが容易となる。
【００１１】
本発明の請求項１に係る電子カセッテは、さらに、前記複数の把持部のうち少なくとも一方が着脱可能である。
【００１２】
この構成によれば、電子カセッテを取り扱う際に、着脱可能とされた把持部が不要な場合には取り外すことができ、その把持部が邪魔とならず電子カセッテの取り扱いが容易となる。
【００１３】
本発明の請求項１に係る電子カセッテは、さらに、着脱可能な前記把持部が装着されているか否かを検出する装着検出部を備え、前記制御部は、前記装着検出部が検出した検出結果に基づき、前記放射線変換器が変換した放射線画像情報の画像処理内容を変える。
【００１４】
この構成によれば、把持部の装着状況に応じて、前記放射線変換器が変換した放射線画像情報の画像処理内容が変わるので、別途、画像情報の画像処理内容を変える操作を行う必要がなくなる。
【００１５】
本発明の請求項２に係る電子カセッテは、請求項１の構成において、着脱可能な前記把持部には、前記制御部及び前記電源部の少なくとも一方が一体化されている。
【００１６】
この構成によれば、制御部及び電源部の少なくとも一方が、着脱可能な把持部に一体化されているので、制御部及び電源部の少なくとも一方を取り外すことができ、メンテナンス等の取り扱いが容易となる。
【発明の効果】
【００１７】
本発明は、上記構成としたので、電子カセッテの取り扱いが容易となる。
【発明を実施するための最良の形態】
【００１８】
以下に、本発明に係る実施形態の一例を図面に基づき説明する。
（本実施形態に係る電子カセッテの構成）
まず、本実施形態に係る電子カセッテの構成を説明する。図１は、放射線画像撮影時における電子カセッテの配置を示す概略図である。図２は、電子カセッテの内部構造を示す概略斜視図である。図３は、電子カセッテ１２の概略構成を示すブロック図である。
【００１９】
本実施形態に係る電子カセッテ１２は、可搬性を有し、被写体を透過した放射線源からの放射線を検出し、その検出した放射線により表わされる放射線画像の画像情報を生成し、その生成した画像情報を記憶可能なものであり、具体的には以下に示すように構成されている。
【００２０】
図１に示すように、電子カセッテ１２は、放射線画像の撮影時において、放射線を発生させる放射線源としての放射線発生部１４と間隔を空けて配置される。このときの放射線発生部１４と電子カセッテ１２との間は、被写体１６が位置するための撮影位置とされており、放射線画像の撮影が指示されると、放射線発生部１４は予め与えられた撮影条件等に応じた放射線量の放射線を射出する。放射線発生部１４から射出された放射線は、撮影位置に位置している被写体１６を透過することで画像情報を担持した後に電子カセッテ１２に照射される。
【００２１】
図２に示すように、電子カセッテ１２は、放射線Ｘを透過させる材料から成り、所定の厚みを有する四角平板状の筐体２０によって覆われている。筐体２０内には、筐体２０のうち放射線Ｘが照射される照射面２２側から順に、被写体１６を透過することに伴って生ずる放射線Ｘの散乱線を除去するグリッド２４、被写体を透過した放射線源からの放射線を検出し、放射線画像情報に変換する放射線変換器の一例としての放射線検出器(放射線検出パネル)２６、及び放射線Ｘのバック散乱線を吸収する鉛板２８が収容されている。また、筐体２０の内部の一端側には、信号処理部４８、電源部８０、制御部７０、画像メモリ５０、通信部５２等の構成部分（図３参照）を収容する筐体３０が配置されている。
【００２２】
電子カセッテ１２の放射線検出器２６は、図３に示すＴＦＴアクティブマトリクス基板３２上に、放射線を吸収して電荷に変換する光電変換層が積層されて構成されている。光電変換層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。
【００２３】
また、ＴＦＴアクティブマトリクス基板３２上には、光電変換層で発生された電荷を蓄積する蓄積容量３４と、蓄積容量３４に蓄積された電荷を読み出すためのＴＦＴ３６とを備えた画素部４０（図３では個々の画素部４０に対応する光電変換層を光電変換部３８として模式的に示している）がマトリクス状に多数個配置されており、電子カセッテ１２への放射線の照射に伴って光電変換層で発生された電荷は、個々の画素部４０の蓄積容量３４に蓄積される。これにより、被写体を透過して電子カセッテ１２に照射された放射線により表される放射線画像は、電荷による画像情報へ変換されて放射線検出器２６に保持される。
【００２４】
また、ＴＦＴアクティブマトリクス基板３２には、一定方向（行方向）に延設され個々の画素部４０のＴＦＴ３６をオンオフさせるための複数本のゲート配線４２と、ゲート配線４２と直交する方向（列方向）に延設されオンされたＴＦＴ３６を介して蓄積容量３４から蓄積電荷を読み出すための複数本のデータ配線４４とが設けられている。個々のゲート配線４２はゲート線ドライバ４６に接続されており、個々のデータ配線４４は信号処理部４８に接続されている。個々の画素部４０の蓄積容量３４に電荷が蓄積されると、個々の画素部４０のＴＦＴ３６は、ゲート線ドライバ４６からゲート配線４２を介して供給される信号により行単位で順にオンされ、ＴＦＴ３６がオンされた画素部４０の蓄積容量３４に蓄積されている電荷は、電荷信号としてデータ配線４４を伝送されて信号処理部４８に入力される。従って、個々の画素部４０の蓄積容量３４に蓄積されている電荷は行単位で順に読み出される。
【００２５】
信号処理部４８は、個々のデータ配線４４毎に設けられた増幅器及びサンプルホールド回路を備えており、個々のデータ配線４４を伝送された電荷信号は増幅器で増幅された後にサンプルホールド回路に保持される。また、サンプルホールド回路の出力側には、マルチプレクサと、画像情報を有する電気信号を変換する電気信号変換部の一例としてのＡ／Ｄ変換器とが、順に接続されている。個々のサンプルホールド回路に保持された電荷信号は、マルチプレクサに順に（シリアルに）入力され、Ａ／Ｄ変換器によって、アナログ電気信号がデジタル電気信号に変換される。信号処理部４８には画像メモリ５０が接続されており、信号処理部４８のＡ／Ｄ変換器から出力された画像情報は画像メモリ５０に順に記憶される。画像メモリ５０は複数フレーム分の画像情報を記憶可能な記憶容量を有しており、放射線画像の撮影が行われる毎に、撮影によって得られた画像情報が画像メモリ５０に順次記憶される。
【００２６】
また、電子カセッテ１２は、表示装置１５との間で無線通信によりデータの送受信を行うための通信部５２と、放射線検出器２６を制御する制御部の一例としての制御部７０と、を備えている。
【００２７】
制御部７０は、電子カセッテ１２全体の制御を司るＣＰＵ、データ送受信処理のプログラムを記憶した記憶媒体としてのＲＯＭ、ワークエリアとしてデータを一時格納するＲＡＭ、各種情報が記憶された記憶手段としてのメモリを含んだマイクロコンピュータで構成されている。
【００２８】
なお、制御部としては、本実施形態のように、装置全体の動作を制御するものに限られず、装置の一部の動作を制御するものであっても良い。
【００２９】
また、電子カセッテ１２には、放射線検出器２６及び制御部７０の少なくとも一方に電力を供給する電源部の一例としての電源部８０が設けられている。
【００３０】
電源部８０は、電子カセッテ１２を動作させるために各種回路・素子へ電力を供給する構成とされている。電源部８０としては、電子カセッテ１２の可搬性を損なわないように、バッテリ（充電可能な二次電池）を内蔵し、充電されたバッテリから各種回路・素子へ電力を供給する構成が好適であるが、バッテリとして一次電池を用いてもよいし、商用電源に常時装着され商用電源から供給された電力を整流、変圧して各種回路・素子へ電力を供給する構成であってもよい。
【００３１】
なお、電源部としては、本実施形態のように、装置全体の構成部に電力を供給するものに限られず、装置の一部の構成部に電力を供給するものであっても良い。また、複数の電源部を有する構成であってもよい。
【００３２】
次に、表示装置１５について説明する。表示装置１５は、入力手段としてのキーボードやマウス、表示手段としてのディスプレイ、ＣＰＵ、ＲＯＭ、ＲＡＭ等を含むＰＣ（パーソナルコンピュータ）で構成されている。また、電子カセッテ１２との間で無線通信によりデータの送受信を行うための通信部を備えている。
【００３３】
（電子カセッテ１２の形状及び電子カセッテ１２に装着される把持部）
次に、電子カセッテ１２の形状と電子カセッテ１２に装着される把持部について説明する。
【００３４】
電子カセッテ１２は、平面視にて周囲に４辺を有する形状、具体的には、四角形状をしている（図３及び図４参照）。より具体的には、電子カセッテ１２は、長方形状をしている。なお、電子カセッテ１２は、角が丸くなった形状をしていても良い。
【００３５】
なお、放射線を検出する放射線検出器２６の検出領域も、電子カセッテ１２の形状と同様とされており、検出領域は、長方形状をなす電子カセッテ１２の長辺に沿って長辺が配置される長方形状とされている。なお、検出領域は、長方形状をなす電子カセッテ１２の長辺に沿って短辺が配置される長方形状とされていても良い。
【００３６】
また、電子カセッテ１２の筐体２０には、図４に示すように、電子カセッテ１２を取り扱う者が把持可能な把持部の一例として、電子カセッテ１２を持ち運ぶための取っ手１３及び取っ手１８が設けられている。
【００３７】
取っ手１３及び取っ手１８は、平面視にて長方形状をした電子カセッテ１２の隣接する辺を構成する側面のそれぞれに配置されている。取っ手１８は、電子カセッテ１２の短辺に装着され、取っ手１３は、電子カセッテ１２の短辺に装着される。これにより、取っ手１３は、取っ手１８に対して向きが９０度異なる位置に配置される。
【００３８】
この取っ手１３及び取っ手１８は、それぞれ、電子カセッテ１２と装着するための接続端子６０ａ、６０ｂを有している。一方、電子カセッテ１２は、取っ手１３及び取っ手１８の接続端子６０ａ、６０ｂが着脱可能に接続される接続端子５４ａ、５４ｂを有している。これにより、取っ手１３及び取っ手１８は、電子カセッテ１２に対して着脱可能とされ、電子カセッテ１２に装着された状態において取っ手として機能する。
【００３９】
なお、取っ手１３及び取っ手１８の一方のみが着脱可能とされる構成であってもよく、また、取っ手１３及び取っ手１８は電子カセッテ１２から取り外すことができない構成であっても良い。
【００４０】
また、取っ手１３及び取っ手１８は、Ｕ字型形状とされている。なお、把持部としては、Ｔ字型の形状、コの字の型形状、丸型等の穴開き形状等であってもよく、把持部として機能する形状であればよい。また、複数の把持部としては、３つ以上設けられている構成であってもよい。また、取っ手１３及び取っ手１８は、４辺のうち対向する辺に配置される構成であってもよく、電子カセッテ１２の異なる向きに配置する構成とすることができる。また、取っ手１３及び取っ手１８は、４辺のうち同一辺上に配置されていても良い（図１３参照）。
【００４１】
さらに、把持部としては、非貫通とされた構成、すなわち、手（指等の手の一部）を差し込む空間を有さない構成であってもよく、例えば、手（指等の手の一部）を引っ掛けるための凹部が形成された把持部や把持可能な凸部が形成された把持部などであっても良い。
【００４２】
また、電源部８０及び制御部７０は、図５に示すように、電子カセッテ１２の本体側ではなく、取っ手１３及び取っ手１８に設けられる構成であってもよい。図５に示す構成では、電源部８０及び制御部７０の両方が、取っ手１８に一体化されている構成を示している。電源部８０を取っ手１８に設けることにより、図６に示すように、取っ手１８を電子カセッテ１２から取り外して充電器８２に装着して充電することが可能となる。
【００４３】
なお、電源部８０及び制御部７０の両方は、取っ手１３側に設けられていてもよい。また、電源部８０及び制御部７０の一方を取っ手１３に設け、電源部８０及び制御部７０の他方を取っ手１８に設ける構成であってもよい。また、電源部８０及び制御部７０のいずれか一方のみを、取っ手１３及び取っ手１８のいずれか一方に設けても良い。
【００４４】
さらに、放射線を検出する放射線検出領域を構成する構成部分（具体的には、放射線検出器２６）以外であれば、取っ手１３及び取っ手１８の少なくとも一方に配置することが可能である。
【００４５】
従って、図７に示すように、画像メモリ５０を取っ手１３に設ける構成としても良く、また図８に示すように、通信部５２を取っ手１３に設ける構成とすることが出来る。
【００４６】
さらに取っ手１３及び取っ手１８が直交する位置関係に配置されていると、上述した放射線を検出する放射線検出領域を構成する構成部分（具体的には、放射線検出器２６）以外が搭載されている取っ手１３または取っ手１８が、信号処理部４８に対して近接して配置することができ、配線をどちらの位置からも短くすることができ、電磁波対策の観点から望ましい構成となる。
【００４７】
また、どの電子カセッテ１２とどの表示装置１５との間で通信を行うかを特定するために用いられる表示装置ＩＤであって、表示装置１５を識別する表示装置ＩＤを記憶したＩＤ格納用ＲＯＭが、取っ手１３及び取っ手１８の少なくとも一方に設けられる構成であってもよい。この構成により、表示装置ＩＤの情報を記憶した取っ手が電子カセッテ１２に装着され、取っ手から表示装置ＩＤを取得することによりデータの送受信先の表示装置１５を特定することができる。表示装置１５側からみると、自己の表示装置ＩＤの情報を記憶した取っ手が装着された電子カセッテ１２を通信先の電子カセッテ１２として特定することができる。
【００４８】
さらに、放射線画像を撮影する際の撮影条件、被写体１６となる患者情報及び電子カセッテＩＤなどの各種情報を記憶するメモリが取っ手１３及び取っ手１８の少なくとも一方に設けられる構成であってもよい。
【００４９】
（取っ手１３及び取っ手１８の装着状況と画像処理との関係）
次に、取っ手１３及び取っ手１８の装着状況と画像処理との関係について説明する。
【００５０】
電子カセッテ１２は、電子カセッテ１２に取っ手１３及び取っ手１８が装着されたか否かを検出する装着検出部５６を有している。
【００５１】
装着検出部５６は、例えば、接続端子６０ａ、６０ｂが接続端子５４ａ、５４ｂに接続された際に電気的に接続される構成とし、接続端子６０ａ、６０ｂと接続端子５４ａ、５４ｂとの間で導通するか否かによって、電子カセッテ１２に取っ手１３及び取っ手１８が装着されたか否かを検出する。
【００５２】
なお、赤外線等の光や静電効果（例えば、誘電体が近接しているかどうかを静電容量で検出する方法）などを利用して、電子カセッテ１２に取っ手１３及び取っ手１８が装着されたか否かを検出する構成としても良い。
【００５３】
本実施形態に係る電子カセッテ１２は、装着検出部５６が検出した検出結果に基づき、制御部７０が、放射線検出器２６により変換された画像情報の画像処理内容を変えるように構成されている。
【００５４】
例えば、電子カセッテ１２が撮影台に装着される向きに応じて、取っ手の装着位置が変化する構成においては、装着検出部５６が検出した検出結果に基づき、画像情報の向きを変更する構成とすることが出来る。
【００５５】
この構成の具体的構成を以下に述べる。撮影台１００は、図９及び図１０に示すように、例えば、被写体１６となる被験者が横たわることができるベッドとされており、横たわった状態の被験者を撮影するためのものである。なお、撮影台１００は、立位状態の被験者を撮影するものであってもよい。
【００５６】
この撮影台１００へは、電子カセッテ１２が装着可能とされている。電子カセッテ１２は、撮影台１００に横たわる被験者の頭足方向（頭から足へ向かう方向、図９及び図１０のＡ方向）と直交する直交方向（図９及び図１０のＢ方向）に沿って撮影台１００へ挿入されて電子カセッテ１２に装着されると共に、その挿入方向と反対方向へ撮影台１００から抜き出されて撮影台１００から取り外される。
【００５７】
また、電子カセッテ１２は、撮影台１００に横たわる被験者の頭足方向に電子カセッテ１２の長手方向が沿うように、電子カセッテ１２を撮影台１００に装着できる構成とされている（図９参照）。この装着の仕方を以下、縦向き装着と称する。
【００５８】
また、撮影台１００に横たわる被験者の頭足方向に、電子カセッテ１２の短手方向が沿うように、電子カセッテ１２を撮影台１００に装着できる構成とされている（図１０参照）。この装着の仕方を以下、横向き装着と称する。
【００５９】
この構成においては、撮影台１００の上方に放射線発生部１４が配置されており、放射線発生部１４と電子カセッテ１２（撮影台１００）との間に被験者が配置される。
【００６０】
放射線発生部１４からの放射線は、撮影台１００上に横たわった被験者を透過して、撮影台１００に装着された電子カセッテ１２に照射される。これにより、被験者が撮像される。
【００６１】
ここで、電子カセッテ１２を縦向き装着する場合には、電子カセッテ１２の短辺に装着される取っ手１８が電子カセッテ１２に装着された状態では、電子カセッテ１２が撮影台１００に装着できない構成とされている。この構成は、例えば、電子カセッテ１２が撮影台１００に挿入される挿入口の縁に、電子カセッテ１２に装着された取っ手１８が当接することによりなされる。
【００６２】
また、電子カセッテ１２を横向き装着をする場合には、電子カセッテ１２の長辺に装着される取っ手１３が電子カセッテ１２に装着された状態では、電子カセッテ１２が撮影台１００に装着できない構成とされている。この構成は、例えば、電子カセッテ１２が撮影台１００に挿入される挿入口の縁に、電子カセッテ１２に装着された取っ手１３が当接することによりなされる。
【００６３】
また、取っ手１３及び取っ手１８の少なくとも一方が電子カセッテ１２に装着されていなければ、電子カセッテ１２が作動しない構成とされている。例えば、電源部８０からの電力の供給を停止する等により電子カセッテ１２の撮像動作が停止する構成となっている。なお、放射線発生部１４の放射線照射を停止する構成としても良い。また、取っ手１３及び取っ手１８のいずれかを電子カセッテ１２に装着するように操作者に報知して、取っ手の装着を促す構成としても良い。
【００６４】
これにより、電子カセッテ１２が撮影台１００に装着されて撮影が行われる場合において、取っ手１３が電子カセッテ１２に装着されているときには、電子カセッテ１２が縦向き装着されていることになる。
【００６５】
また、電子カセッテ１２が撮影台１００に装着されて撮影が行われる場合において、取っ手１８が電子カセッテ１２に装着されているときには、電子カセッテ１２が横向き装着されていることになる。
【００６６】
制御部７０は、取っ手１３が装着された状態で撮影された画像については、被験者の頭側に位置する電子カセッテ１２の長辺１２Ａを上方とした画像を画像メモリに記憶する構成とする。
【００６７】
これにより、電子カセッテ１２により撮像した画像を表示装置に表示する場合には、長辺１２Ａを上方とした画像が表示され、電子カセッテ１２により撮像した画像を記録媒体に記録する場合には、長辺１２Ａを上方とした画像が記録される。
【００６８】
また、制御部７０は、取っ手１８が装着された状態で撮影された画像については、被験者の頭側に位置する電子カセッテ１２の短辺１２Ｂを上方とした画像を画像メモリに記憶する構成とする。すなわち、長辺１２Ａを上方とした画像を９０度回転させた画像が記憶される。
【００６９】
これにより、電子カセッテ１２により撮像した画像を表示装置に表示する場合には、短辺１２Ｂを上方とした画像が表示され、電子カセッテ１２により撮像した画像を記録媒体に記録する場合には、短辺１２Ｂを上方とした画像が記録される。
【００７０】
なお、取っ手１３及び取っ手１８のうち、例えば、取っ手１８のみが着脱可能とされた構成においては、電子カセッテ１２を縦向き装着をする場合には、取っ手１３のみが電子カセッテ１２に装着された状態で電子カセッテ１２が撮影台１００に装着される構成とし、電子カセッテ１２を横向き装着をする場合には、取っ手１３及び取っ手１８の両方が電子カセッテ１２に装着された状態で電子カセッテ１２が撮影台１００に装着される構成とすることにより、取っ手の装着状況に応じた画像の処理が可能となる。
【００７１】
また、画像メモリに画像を記憶する際に画像処理をするのではなく、画像を表示する際及び画像を記録する際等に、画像を処理する構成であってもよい。
【００７２】
従って、例えば、電子カセッテ１２が、表示装置等の外部装置に取っ手１３及び取っ手１８の装着情報と画像情報を表示装置に送り、表示装置が画像処理を行うようにしても良い。
【００７３】
（本実施形態に係る電子カセッテ１２の作用）
次に、本実施形態に係る電子カセッテ１２の作用を説明する。
【００７４】
本実施形態に係る電子カセッテ１２では、取っ手１３及び取っ手１８が設けられており、図１１に示すように、取っ手１３及び取っ手１８を把持して電子カセッテ１２を持ち運ぶことができる。これにより、電子カセッテ１２の重量を分散させて把持し、電子カセッテ１２を持ち運ぶことができるので、電子カセッテの持ち運びが楽になる。
【００７５】
このとき、取っ手１３及び取っ手１８は、図１３に示すように、同一辺上に配置されてもよい。このように配置することで、二人で運ぶ際に持ちやすくなる。
【００７６】
また、電子カセッテ１２を撮影台１００等に装着する際には、複数の取っ手１３及び取っ手１８のいずれかを把持して電子カセッテ１２を装着できる。
【００７７】
また、取っ手１３及び取っ手１８は取り外すことができるので、電子カセッテ１２を持ち運ぶ際に、不要な取っ手１３及び取っ手１８を取り外すことができ、その取っ手１３及び取っ手１８が邪魔とならず電子カセッテ１２を持ち運びやすくなる。
【００７８】
また、電子カセッテ１２を持ち運ぶ者が、電子カセッテ１２の取り扱いがしやすくなる取っ手を、取っ手１３及び取っ手１８から選択し、その選択した取っ手を電子カセッテ１２に装着して電子カセッテ１２を持ち運ぶことができる。
【００７９】
例えば、背の高い者にとっては、図１２（Ａ）に示すように、電子カセッテ１２の長辺が縦になるように、取っ手１８を装着して電子カセッテ１２を持ち運ぶことが電子カセッテ１２を取り扱いやすく、背の低い者にとっては、図１２（Ｂ）に示すように、電子カセッテ１２の短辺が縦になるように、取っ手１３を装着して電子カセッテ１２を持ち運ぶことが電子カセッテ１２を取り扱いやすいと考えられる。また、幅の狭い通路や人が多い通路を持ち運ぶ場合には、電子カセッテ１２の長辺が縦になるように、取っ手１８を装着して電子カセッテ１２を持ち運ぶことが電子カセッテ１２を取り扱いやすいと考えられる。
【００８０】
また、取っ手１３及び取っ手１８に電源部８０及び制御部７０等を設けることにより、メンテナンスやバージョンアップや充電などをする際における電子カセッテ１２の取り扱いが容易となる。また、電源部８０を取っ手１８に設けることにより、図６に示すように、取っ手１８を電子カセッテ１２から取り外して充電器８２に装着して充電することが可能となる。これにより、充電時における電子カセッテ１２の取り扱いが容易となり、充電器８２自体もコンパクト化することができる。
【００８１】
さらに、本実施形態に係る電子カセッテ１２を撮影台１００に縦向き装着をする場合には、電子カセッテ１２の長辺に取っ手１３が装着された状態で、操作者が取っ手１３を把持して電子カセッテ１２を撮影台１００に装着する。制御部７０は、取っ手１３が装着された状態で撮影された画像については、被験者の頭側に位置する電子カセッテ１２の長辺１２Ａを上方とした画像を画像メモリに記憶する。
【００８２】
また、本実施形態に係る電子カセッテ１２を撮影台１００に横向き装着をする場合には、電子カセッテ１２の長辺に取っ手１８が装着された状態で、操作者が取っ手１８を把持して電子カセッテ１２を撮影台１００に装着する。制御部７０は、取っ手１８が装着された状態で撮影された画像については、被験者の頭側に位置する電子カセッテ１２の短辺１２Ｂを上方とした画像を画像メモリに記憶する。
【００８３】
このように取っ手１３及び取っ手１８の装着状況に応じて、画像情報の画像の向きが変わるので、別途、画像情報の画像の向きを変える操作を行う必要がなくなる。
【００８４】
以上のように、本実施形態に構成によれば、電子カセッテ１２の取り扱いが容易となる。本発明は、上記の実施形態に限るものではなく、種々の変形、変更、改良が可能である。
【図面の簡単な説明】
【００８５】
【図１】図１は、放射線画像撮影時における電子カセッテの配置を示す概略図である。
【図２】図２は、電子カセッテの内部構造を示す概略斜視図である。
【図３】図３は、電子カセッテの概略構成を示すブロック図である。
【図４】図４は、電子カセッテ及び取っ手の外観を示す斜視図である。
【図５】図５は、電子カセッテの取っ手に制御部及び電源部を設けた構成を示す図である。
【図６】図６は、電子カセッテの取っ手を充電器に装着した状態を示す図である。
【図７】図７は、電子カセッテの取っ手に画像メモリを設けた構成を示す図である。
【図８】図８は、電子カセッテの取っ手に通信部を設けた構成を示す図である。
【図９】図９は、電子カセッテを撮影台に縦向き装着した状態を示す図である。
【図１０】図１０は、電子カセッテを撮影台に横向き装着した状態を示す図である。
【図１１】図１１は、電子カセッテの２つの取っ手のそれぞれを把持して電子カセッテを持ち運ぶ様子を示す図である。
【図１２】図１２は、電子カセッテの２つの取っ手のいずれかを装着してその取っ手を把持して電子カセッテを持ち運ぶ様子を示す図であり、（Ａ）は電子カセッテの短辺にある取っ手を装着した場合を示し、（Ｂ）は電子カセッテの長辺にある取っ手を装着した場合を示す。
【図１３】図１３は、電子カセッテの同一辺上に２つの取っ手を設けた構成を示す図である。
【符号の説明】
【００８６】
１２   電子カセッテ
１３   取っ手（把持部）
１８   取っ手（把持部）
２０   筐体
２６   放射線検出器（放射線変換器）
５６   装着検出部
７０   制御部
８０   電源部
【図１】
0005288896.tif 000002
【図２】
0005288896.tif 000003
【図３】
0005288896.tif 000004
【図４】
0005288896.tif 000005
【図５】
0005288896.tif 000006
【図６】
0005288896.tif 000007
【図７】
0005288896.tif 000008
【図８】
0005288896.tif 000009
【図９】
0005288896.tif 000010
【図１０】
0005288896.tif 000011
【図１１】
0005288896.tif 000012
【図１２】
0005288896.tif 000013
【図１３】
0005288896.tif 000014